(57)【要約】【課題】長時間好みの臭いを自身から漂わせることができ、周辺の嫌な臭いを長期間誤魔化すことができ、好みの臭いに簡単に変えることができる吸収体収納容器を提供すること。【解決手段】容器２内に対して出し入れ自在に、芳香液を吸収させるための吸収体３を収容してあり、前記容器２の壁面には外部から芳香液を吸収体３に注入するための注入孔２２を設けてある。容器２が、容器本体部２０とこれに開閉自在に設けられた蓋部２１とから構成されており、前記容器本体部２０と蓋部２１との間からは芳香は放散しないようになっている。容器２の構成材料を通して芳香は放散しないようになっている。吸収体３は、不織布、又は吸収性繊維素材が圧縮されて形成されたものである。容器２の外面の一部に貼着層２４を形成してあり、前記貼着層２４には剥離紙２５が一体化されている。【選択図】  図１
2006051307.tif 000002
【特許請求の範囲】
【請求項１】
容器内に対して出し入れ自在に、香り液を吸収させるための吸収体を収容してあり、前記容器の壁面には外部から香り液を吸収体に注入するための注入孔を設けてあることを特徴とする吸収体収納容器。
【請求項２】
容器が、容器本体部とこれに開閉自在に設けられた蓋部とから構成されており、前記容器本体部と蓋部との間からは香りは放散しないようになっているとを特徴とする請求項１記載の吸収体収納容器。
【請求項３】
容器の構成材料を通して芳香は放散しないようになっていることを特徴とする請求項２記載の吸収体収納容器。
【請求項４】
吸収体は、不織布、又は吸収性繊維素材が圧縮されて形成されたものであることを特徴とする請求項１乃至３のいずれかに記載の吸収体収納容器。
【請求項５】
容器の外面の一部に貼着層を形成してあり、前記貼着層には剥離紙が一体化されていることを特徴とする請求項１乃至４のいずれかに記載の吸収体収納容器。
【請求項６】
容器が、可撓性を有する二枚の薄板状体により形成されていると共に一方に対して他方が開閉自在であり、少なくとも一方側の薄板状体に注入孔を形成してあることを特徴とする請求項１乃至４のいずれかに記載の吸収体収納容器。
【請求項７】
請求項１乃至４のいずれかに記載の吸収体収納容器を、紐を使用して数珠繋ぎして成ることを特徴するブレスレッド。
【発明の詳細な説明】
【技術分野】  この発明は、容器内に香り液を吸収させるための吸収体を設けてあり、吸収体から揮散した香りを容器に設けた孔から放散されるようにした吸収体収納容器に関するものである。
【背景技術】  芳香放散器としては、例えば、芳香剤を収容する容器に吸上げ部材分の一端側を浸漬し、吸上げ部材の他端側を揮散領域の側に立ち上げ、吸上げ部材の周囲に配置したフロートを芳香剤上に浮かせ、フロートの上部に設けた筒状部材により吸上げ部材の周囲を揮散領域に対して遮蔽するものがある（例えば、特許文献１。）。
上記芳香放散器は、一般的に応接室やトイレ等の室内に置かれ、芳香を室内に放散させるために用いられていた。このような芳香放散器は多数のものが市場に出回っているが、室内において芳香を放散させるという用途に止まっていた。
ところで、室内以外の芳香としては、体や衣服に散布される所謂香水があるが、揮発するのが早く、特に夏の日差しの中で汗と混ざった場合にはかえって嫌な臭いを発するというような事態を生じていた。
上記事情のもと、出願人は、汗と混じり合って嫌な臭いを発することがなく、長時間好みの臭いを自身から漂わせることができ、周辺の嫌な臭いを長期間誤魔化すことができ、自身から発する臭いを簡単に変えるような商品を市場に出そうと考えるに至り、開発に取りかかった。
【特許文献１】  特開２００４−２０９１００
【発明の開示】
【発明が解決しようとする課題】  そこでこの発明では、長時間好みの臭いを自身から漂わせることができ、周辺の嫌な臭いを長期間誤魔化すことができ、好みの臭いに簡単に変えることができる吸収体収納容器を提供することを課題とする。
またこの発明では、汗と混じり合って嫌な臭いを発することがなく、長時間好みの臭いを自身から漂わせることができ、周辺の嫌な臭いを長期間誤魔化すことができ、自身から発する臭いを簡単に変えることができる吸収体収納容器を提供することを課題とする。
【課題を解決するための手段】（請求項１記載の発明）
この発明の吸収体収納容器は、容器内に対して出し入れ自在に、香り液を吸収させるための吸収体を収容してあり、前記容器の壁面には外部から香り液を吸収体に注入するための注入孔を設けてある。
（請求項２記載の発明）
この発明の吸収体収納容器は、上記請求項１の発明に関し、容器が、容器本体部とこれに開閉自在に設けられた蓋部とから構成されており、前記容器本体部と蓋部との間からは香りは放散しないようになっている。
（請求項３記載の発明）
この発明の吸収体収納容器は、上記請求項２の発明に関し、容器の構成材料を通して香りは放散しないようになっている
（請求項４記載の発明）
この発明の吸収体収納容器は、上記請求項１乃至３のいずれかの記載に関し、吸収体は、不織布、又は吸収性繊維素材が圧縮されて形成されたものである。
（請求項５記載の発明）
この発明の吸収体収納容器は、上記請求項１乃至４のいずれかの記載に関し、容器の外面の一部に貼着層を形成してあり、前記貼着層には剥離紙が一体化されている。
（請求項６記載の発明）
この発明の吸収体収納容器は、上記請求項１乃至４のいずれかの記載に関し、容器が、可撓性を有する二枚の薄板状体により形成されていると共に一方に対して他方が開閉自在であり、少なくとも一方側の薄板状体に注入孔を形成してある。
（請求項７記載の発明）
この発明のベルトは、請求項１乃至４のいずれかに記載の吸収体収納容器を、紐を使用して数珠繋ぎして成るものとしている。
【発明の効果】  この発明の吸収体収納容器によると、長時間好みの臭いを自身から漂わせることができ、周辺の嫌な臭いを長期間誤魔化すことができ、好みの臭いに簡単に変えることができる。
また、この発明の吸収体収納容器によると、汗と混じり合って嫌な臭いを発することがなく、長時間好みの臭いを自身から漂わせることができ、周辺の嫌な臭いを長期間誤魔化すことができ、自身から発する臭いを簡単に変えることができる。
【発明を実施するための最良の形態】  以下にこの発明の回転式仏具構造体を実施するための最良の形態としての実施例について詳細に説明する。
【実施例１】  図１はこの発明の実施例１の吸収体収納容器１における容器本体部２０に対して蓋部２１を開いた状態の斜視図、図２は前記容器本体部２０に対して蓋部２１を閉じ、吸収体３に芳香液（香り液：人工的な香り液及び自然の香り液、以下同じ）を注入している状態を示す斜視図。
この実施例１は、図１や図２に示すように、ウエストに巻くベルトＢに取り付けるための吸収体収納容器１であり、前記吸収体収納容器１は所謂マジックテープ（登録商標）ＭＴによりベルトＢに着脱自在に取り付けるようにしてある。
この吸収体収納容器１は、図１に示すように、容器２内に対して出し入れ自在に、芳香液を吸収させるための吸収体３を収容してあり、前記容器２の壁面には外部から芳香液を吸収体に注入するための注入孔２２を設けてある。
容器２は、図１に示すように、容器本体部２０とこれに開閉自在に設けられた蓋部２１とから構成されており、前記容器本体部２０と蓋部２１との間から、及び前記容器２の構成材料を通して、芳香がほとんど放散しないようになっている。
容器本体部２０は、構成壁材を通して外部にほとんど芳香されないようにすべく例えば薄板状の樹脂板又は樹脂コーティングして成る生地で構成されており、図１や図２に示すように容器深さが例えば５〜８ｍｍ程度の浅いものに設定してある。
蓋部２１は、同質の材料により構成されており、容器本体部２０よりも更に浅い例えば２〜３ｍｍ程度に設定してあると共に、上記した３個の注入孔２２を有するものとしてある。
また、上記した容器本体２０又は蓋部２１の縁部には、図１に示すように、密着性に優れたシール材として機能する粘着剤２３（板状に形成されており比較的簡単に外れる粘着剤）を設けてあり、前記粘着剤２３は比較的容易に容器本体２０から蓋部２を綺麗に外れるようになっている。この粘着剤の使用により容器本体部２０と蓋部２１相互間は密封又は略密封状態となり、その結果容器本体部２０と蓋部２１との間から芳香がほとんど放散するようなことがない。なお、容器本体部２０と蓋部２１との間から芳香が多少放散してもよい場合は、容器本体２０と蓋部２１の縁部をマジックテープで略密封状態にする態様を採ってもよい。
注入孔２２は、図２に示すように、先端ノズルを有した充填容器Ｊに収納されている芳香液を、前記ノズルから注入するための孔である。この注入孔２２は芳香が外部に放散するための孔としても機能するので、芳香があまり強くならないように、あまり大きな孔としないほうがよい。
吸収体３は、不織布、又は吸収性繊維素材が圧縮されて形成されたもの（所謂タンポンに相当するもの）が使用できるが、特に吸収性繊維素材が圧縮されて形成されたものが使用された場合には、芳香液が吸収されるのは素早いが揮散するのは緩やかなものとなる。なお、揮散するのが緩やかになるのは、芳香液は吸収体３の表面層に吸収されるだけでなく、中心部（コア部）にまで吸収されるからである。
ここで、この吸収体収納容器１は、充填容器Ｊのノズルを注入孔２２に差し込みこれの内部の吸収体３に芳香液を差し入れるようにすれば、吸収体３に速やかに吸収されていく。特に吸収性繊維素材が圧縮されて形成されたものが使用された場合には、芳香液が吸収されるのは素早いが揮散するのは緩やかなものとなる。この吸収体収納容器１では注入孔２２から揮散された芳香が緩やかに外部にでていくだけであるから芳香は強い臭いとはならない。
したがって、この吸収体収納容器１は以下に示すのような優れた効果を有している。
（１）香水の如き体表面や衣服に吹きかけて使用するものではなく、容器２に包まれた芳香液を吸収した吸収体３からの芳香によるものであるから、汗と混じり合って嫌な臭いを発することはなくなる。
（２）吸収体３を変えると共に注入孔２２から注入される芳香液を変えることにより、簡単に自身から漂わせる芳香を変えることができる。
（３）吸収性繊維素材が圧縮されて形成されたものが使用された場合には、芳香液が吸収されるのは素早いが揮散するのは緩やかなものとなるから、長期間芳香を自身から漂わせることができる。
【実施例２】  図３はこの発明の実施例２の吸収体収納容器１を、ベルトＢを介してウエスト部Ｗ、上腕部Ａ、太股部Ｌに巻き付けた状態を示す概念図を示している。
この実施例２は、図３に示すように、被介護者Ｍのウエスト部Ｗ、上腕部Ａ、太股部Ｌに取り付けるための吸収体収納容器１であり、所謂マジックテープＭＴによりベルトＢの端部相互を止め前記部位に吸収体収納容器１を固定するものである。
この吸収体収納容器１は上記実施例１のものと基本的構造は同じであるが、寝たままの状態が大部分を占める人に使用されるため容器２及びベルトＢが柔らかな材料で構成されている。即ち、容器２は例えば樹脂コーティングして成る生地で構成され、ベルトＢは普通の生地により構成されている。
この吸収体収納容器１は上記のような構成であるから、実施例１で記載した（１）〜（３）までの機能を有すると共に、以下の（４）の機能も有している。
（４）被介護者は自由に用便できないことから、介護者に対して便の臭い等がしないかを非常に気にしている。この吸収体収納容器１を臭いが集中するであろう部位の近傍、すなわちウエスト部Ｗ、上腕部Ａ、太股部Ｌに固定しておくと、自身から発する便等の悪臭を簡単に変える（軽減する）ことができる。
【実施例３】  図４はこの発明の実施例３の吸収体収納容器１を分解斜視図、図５は前記吸収体収納容器１の断面図、図６はマスクＭＫと顔面との間に設けた状態の正面図を示している。
この実施例３は、図６に示すように、強い臭いを有する環境下で作業する作業者ｍ（介護者を含む）のために考えられたものであり、作業者ｍがするマスクＭＫの内面又は前記マスクＭＫに隠れた顔部分に貼り付けることができる吸収体収納容器１である。
この吸収体収納容器１は上記実施例１のものと基本的構造は同じであるが、図４や図５に示すように容器２の容器本体部２０側の外面（下面）に貼着層２４を形成し、前記貼着層２４を剥離紙２５で覆って成る点で相違している。なお、この吸収体収納容器１は、マスクＭＫと顔との間（場合によっては衣服と身体表面との間）に納めることから、ある程度の薄さにし、着脱を容易にすることが好ましい。
ここで、この吸収体収納容器１の具体的構成は、図４や図５に示すように、円形状の基板と２０ａの上面に円形状の周突起２０ｂを突設して成る容器本体部２０と、ドーム形状の蓋部２１とから構成されており、前記蓋部２１の下部域は周突起２０ｂの外面に対して密に外嵌（略密封）されるようになっている。したがって、容器本体部２０と蓋部２１との間から芳香はほとんど放散しないようになっている。
この吸収体収納容器１は上記のような構成であるから、長時間好みの臭いを自身から漂わせることができ、周辺の嫌な臭いを長期間誤魔化すことができ、好みの臭いに簡単に変えることができる。したがって、上記作業者ｍにとっては、非常に有益である。なお、上記吸収体収納容器１を例えば両肩に貼り付けるようにしても同等の効果を有すると考える。
【実施例４】  図７はこの発明の実施例４の吸収体収納容器１の斜視図、図８は前記吸収体収納容器１の断面図、図９は前記吸収体収納容器１を使用して製作されたブレスレッドＢＤの説明図を示している。
この実施例４は、図７や図９に示すようにブレスレッドＢＤの製造に使用される吸収体収納容器１である。したがって、基本的構造は実施例１等と同じであるが、全体形状が球又は略球形状に形成されている共に紐４０（鎖状のものを含む）を通すための挿通孔２６ａを有した挿通部２６を具備させてある点が相違している。
この吸収体収納容器１は図７〜図９に示すように、上から下に蓋部２１、容器本体部２０、挿通部２６が配置されており、蓋部２１と容器本体部２０との一部はヒンジ２７で結合されていると共に、前記ヒンジ２７と相対する側に係止手段２８を施してある。ここで、前記係止手段２８は、図７や図８に示すように、蓋部２１側に設けられた被係止部２８ａと容器本体部２０側に設けられた係止部２８ｂとから構成されており、被係止部２８ａを係止部２８ｂに向かって押し込んで両者を係止させると、不用意に開蓋しないようになっている。なお、容器本体部２０と蓋部２１相互間の密封又は略密封する方法は上記実施例１〜３の例による。
上記ブレスレッドＢＤは吸収体収納容器１を使用して、例えば以下のようにして製造される。
吸収体収納容器１と一体化された挿通部２６の挿通孔２６ａ，２６ａに紐４０を挿通し、前記紐４０により五個の吸収体収納容器１を数珠繋ぎ状態にする。
次に、吸収体収納容器１が一部に偏ることなく常時分散されるように、紐４０に挿通させたリング５，５を各吸収体収納容器１の挿通孔２６ａ，２６ａ近傍で潰して（この状態では紐４０に対して移動不能であり、リング５は挿通孔２６ａを通過できない）図９に示すように吸収体収納容器１を位置決めする。
なお、このブレスレッドＢＤを使用する際には、所望の芳香液を充填容器Ｊにより注入孔２２から注入して吸収体３に吸収させ、手首に取り付けるだけである。
このブレスレッドＢＤを使用した場合、他人が気がつかないうちに以下に示すような効果を奏している。
（１）汗をかきやすい手首に取り付けた場合であっても、香水の如き体表面や衣服に吹きかけて使用するものではないので、汗と混じり合った嫌な臭いを発することはない。
（２）吸収体３を変えると共に注入孔２２から注入される芳香液を変えることにより、簡単に自身から漂わせる芳香を変えることができる。
（３）吸収性繊維素材が圧縮されて形成されたものである場合には、芳香液が吸収されるのは素早いが揮散するのは緩やかなものとなる。すなわち長期間芳香を自身から漂わせることができる。
【実施例５】  上記した実施例１〜４の吸収体収納容器１はその形状こと相違するが、室内用の芳香剤として利用できる。
この場合において、吸収体３を変えると共に注入孔２２から注入される芳香液を変えることにより、室内に漂う芳香を簡単且つ自由に変えることができ、また、長期間好みの芳香を漂わせることができる。
（その他）
吸収体３の材料として不織布を使用する場合、不透過性の樹脂シートで包囲し、注入孔２２に対向する樹脂シート部分に開口を設けておくようにするとよい。この場合、注入孔２２から注入された芳香液は樹脂シート部分の孔から不織布に吸い込まれることになるが、揮散は樹脂シート部分の孔からのみなので、芳香の放散は緩やかなものとなる。なお、この手段は吸収性繊維素材が圧縮されて形成されたものにも採用できる。
上記した吸収性繊維素材ハ、レーヨン繊維（合成繊維）やコットン繊維（自然繊維）、スポンジ質材などが採用できる。
【図面の簡単な説明】
【図１】  この発明の実施例１の吸収体収納容器における容器本体部に対して蓋部を開いた状態の斜視図。
【図２】  前記容器本体部に対して蓋部を閉じ、吸収体に芳香液を注入している状態を示す斜視図。
【図３】  この発明の実施例２の吸収体収納容器をベルトを介してウエスト部、上腕部、太股部に巻き付けた状態を示す概念図を示している。
【図４】  この発明の実施例３の吸収体収納容器を分解斜視図。
【図５】  前記実施例３の吸収体収納容器の断面図。
【図６】  前記実施例３の吸収体収納容器をマスクＭＫと顔面との間に設けた状態の正面図。
【図７】  この発明の実施例４の吸収体収納容器の斜視図。
【図８】  前記実施例４の吸収体収納容器の断面図。
【図９】  前記実施例４の吸収体収納容器を使用して製作されたブレスレッドの説明図を示している。
【符号の説明】
１        吸収体収納容器
２        容器
２０      容器本体部
２１      蓋部
２２      注入孔
３        吸収体
【図１】
2006051307.tif 000003
【図２】
2006051307.tif 000004
【図３】
2006051307.tif 000005
【図４】
2006051307.tif 000006
【図５】
2006051307.tif 000007
【図６】
2006051307.tif 000008
【図７】
2006051307.tif 000009
【図８】
2006051307.tif 000010
【図９】
2006051307.tif 000011